(57)【要約】      （修正有）【課題】切り替えスイッチの両側にそれぞれ第一端子と第二端子及び第三端子を延伸して第一及び第二電源入力導電片を細長いバーとすることによって、複雑な構造を設計する必要がないソケットの改良構造を提供する。【解決手段】電源プラグが上ケース体１１の差込穴１１２を経由して第一及び第二電源出力導電片２４及び２５の中へ差し込まれると、入力電源は第一及び第二電源入力導電片２２及び２３を経由して、スイッチ２１の第一及び第二端子へ伝導される。スイッチ２１が導通状態にある時は、電源が第一端子を経由して第三端子２１３へ伝導されることによって、電源をスイッチ２１の第一及び第二電源出力導電片２４及び２５へ輸送し、電源パイロット・ランプにパイロット光源を生じさせる。一方、第一及び第二電源出力導電片２４及び２５の電源は同時に電源差込から電気製品へ伝導され、電気製品を正常に作動させる。【選択図】図３
0003122005.tif 000002
【実用新案登録請求の範囲】
【請求項１】
上ケース体及び下ケース体を相互に組合わせてなり、且つ、上ケース体にはスイッチ収容穴及び差し込み穴を設置したケース体と、ソケット本体と、を含み、
前記ソケット本体は、
その一側面に第一端子を延伸し、他の側面に第二及び第三端子を延伸したスイッチと、
スイッチの第一端子と連結した第一電源入力導電片と、
スイッチの第二端子と連結した第二電源入力導電片と、
スイッチの第二及び第三端子にそれぞれ連結した第一及び第二電源出力導電片と、を含み、
前記ソケット本体をケース体の中に結合することによって、第一及び第二電源出力導電片をそれぞれケース体の上ケース体差し込み穴と対応させたことを特徴とする、
ソケットの改良構造。
【請求項２】
前記スイッチの第二端子と第三端子の間に、スイッチの中に収容した電源パイロット・ランプを連結したことを特徴とする、請求項１に記載のソケットの改良構造。
【請求項３】
前記第一及び第二電源入力導電片は、ポイント溶接方式でスイッチの第一端子と連結し、前記第一及び第二電源出力導電片は、それぞれポイント溶接方式でスイッチの第二及び第三端子に連結されていることを特徴とする、請求項１に記載のソケットの改良構造。
【考案の詳細な説明】
【技術分野】
【０００１】
本考案は、ソケットの改良構造、特に導電片の使用材料を節約でき、且つ加工・組立てが容易などの長所を備えたソケットの改良構造に関するものである。
【背景技術】
【０００２】
図１Ａ、Ｂ、Ｃは、従来のソケットの略図であり、主として、ケース体３及びソケット本体４を含む。
前記ケース体３は、上・下ケース体３１・３２を相互に組合わせてなり、且つ上ケース体３１の表面に差し込み穴３１１及びスイッチ収容穴３１２を設置してある。
前記ソケット本体４には、切り替えスイッチ４１と、ランプ回路導電部品４２と、第一及び第二電源入力導電片４３及び４４と、第一及び第二電源出力導電片４５及び４６が含まれる。
前記切り替えスイッチ４１の底面に第一接続端子４１１、第二接続端子４１２及び第三接続端子４１３が下向きに真っ直ぐ延伸され、且つ第二及び第三接続端子４１２及び４１３の間に電源パイロット・ランプ４１４が連結してある。
前記切り替えスイッチ４１は、上ケース体３１の頂上面を突き抜けてスイッチ収容穴３１２の中に置かれている。
前記第一電源入力導電片４３の上には連結片４３１を垂直に延伸することによって、前記連結片４３１及び切り替えスイッチ４１の第一接続端子４１１と接続する。
前記第一電源出力導電片４５は、亜鉛溶接によって切り替えスイッチ４１の第三接続端子４１３に溶接されている。
前記第二電源出力導電片４６は、第二電源入力導電片４４に溶接固定され、且つランプ回路によって導電部品４２及び切り替えスイッチ４１の第二接続端子４１２に接続され、第一及び第二電源出力導電片４５及び４６と上ケース体３１の差込穴３１１を対応させている。
上述の構成によって、ソケット構造を形成できる。
【考案の開示】
【考案が解決しようとする課題】
【０００３】
しかし、従来のソケットは電源を提供できるが、構成の上でまだ下記のような欠点がある、
１．従来のソケット切り替えスイッチ４１の三つの接続端子４１１・４１２・４１３は、直立式で下へ延伸する形態であり、第一及び第二電源入力導電片４３・４４との接続距離が比較的に遠い。よって、第一及び第二電源入力導電片４３・４４は連結片４３１及びランプ回路導電片４２を通してのみ切り替えスイッチ４１の第一及び第二接続端子４１１・４１２と接続出来、第一及び第二電源入力導電片４１１及び４１２の構造を複雑化し、且つ使用材料も相対的に増える。これに伴って制作時間及びコストも増える結果となっている。
２．従来型ソケットの第一電源出力導電片４５は、まずスイッチ４１の第三端子４１３を挿入した後、切り替えスイッチの第三端子４１３に亜鉛溶接しなければならず、加工組立てをより複雑にしている。
３．従来型ソケットは、切り替えスイッチ４１を一つ一つ上ケース体３１に入れて固定した上で、初めて後続の加工作業を行うことが出来、加工の作業時間を相対的にアップさせ、且つ各種形状のケース体３に応用することが出来ない。
以上で分かるように、上述従来物品には依然幾多の欠点があり、良い設計とは言いがたく、改良が待たれていた。
本案考案者は、上述従来のソケット構造に派生する各項の欠点に鑑み、極力新規改善を試み、且つ永年の苦心研鑽の末、ついに本案ソケットの改良構造の研究開発を完成した。
【０００４】
本考案の目的は、切り替えスイッチの両側にそれぞれ第一端子と第二端子及び第三端子を延伸して第一及び第二電源入力導電片を細長いバーとすることによって、複雑な構造を設計する必要がなく、材料節約及び本案目的を達成できるソケットの改良構造を提供することにある。
本考案の次の目的は、電源出力導電片をポイント溶接方式でスイッチの第二及び第三端子の上に固定し、加工製造工程を簡素化する目的を達成できるソケットの改良構造を提供することにある。
本考案の又もう一つ別の目的は、先ずソケット本体を組立ててから、ケース体の中に収容し、快速に組立てる目的を達成するほか、各種外形のケース体の中に装着することの出来るソケットの改良構造を提供することにある。
【課題を解決するための手段】
【０００５】
上述の目的を達成できるソケットの改良構造は、ケース体と、ソケット本体と、を含み、前記ケース体は、上ケース体及び下ケース体を相互に組合わせてなり、且つ上ケース体にスイッチ収容穴及び差し込み穴を設置してある。
前記ソケット本体は、スイッチと、第一及び第二電源入力導電片と、第一及び第二電源出力導電片と、を含み前記スイッチは、両側面を有し、其の一側面底縁に第一端子を延伸し、他の側面底縁には第二及び第三端子を延伸し、且つ第二端子と第三端子の間にスイッチの中に収容した電源パイロット・ランプを連結してある。
前記第一電源入力導電片は、スイッチの第一端子と連結した細長いバーである。
前記第一及び第二電源出力導電片は、それぞれスイッチの第二及び第三端子に連結されている。
前記第二電源入力導電片は、スイッチの第二端子に固設した細長いバーである。
前記入力電源は、第一及び第二電源入力導電片によってスイッチの第一及び第二端子へ伝導され、スイッチが導通状態を呈す時は、前記電源が第一端子を経由して第三端子へ伝導されることによって、電源をスイッチの第二及び第三端子上の第一及び第二電源出力導電片へ伝送する。
前記ソケット本体をケース体に結合し、スイッチの第二及び第三端子上の第一及び第二電源出力導電片をそれぞれ上ケース体の差込穴と対応させることによって、電源プラグが両差込穴を経由して第一及び第二電源出力導電片の中へ差し込まれ、電源を電気製品へ伝導する。
【考案の効果】
【０００６】
本考案に係るソケットの改良構造は、その他従来技術に比べ、更に下記のような長所がある、
１．本考案は、切り替えスイッチの両側にそれぞれ第一端子と第二端子及び第三端子を延伸することによって、第一及び第二電源入力導電片を細長いバーとして設計し、複雑な構造を必要とせず、材料及びコストを節減できるソケットの改良構造を達成することが出来る。
２．本考案は、電源出力導電片をポイント溶接方式でスイッチの第二及び第三端子に溶接するだけで、加工製造工程の簡素化目的を達成できる。
３．本考案は、まずソケット本体を予め組立て完成してから、ケース体の中へ収容するので、快速に組立てる目的を達成できるほか、各種外形のケース体に取り付けることも出来る。
【考案を実施するための最良の形態】
【０００７】
図２Ａ、Ｂ、Ｃ乃至図４に示すように、本考案に係るソケットの改良構造は、主として、上ケース体１１及び下ケース体１２を相互に組合わせてなり、且つ上ケース体１１にはスイッチ収容穴１１１及び差し込み穴１１２を設置したケース体１とソケット本体２と、を含む。
【０００８】
前記ソケット本体２は、スイッチ２１と、第一及び第二電源入力導電片２２及び２３と、第一及び第二電源出力導電片２４及び２５と、を含む。
前記スイッチ２１は、両側面を有し、そのうち一側面の底縁に第一端子２１１を延伸し、他の一側面の底縁には第二端子２１２及び第３端子２１３を延伸し、且つ第二端子２１２と第３端子２１３の間にスイッチ２１の中に収容された電源パイロット・ランプ２１４を連結してある。
前記第一及び第二電源入力導電片２２及び２３は、何れも細長いバーであり、前記第一電源入力導電片２２は、ポイント溶接方式でスイッチ２１の第一端子２１１と連結し、入力電源を第一電源入力導電片２２から第一端子２１１へ伝導できるようにしてある。
前記第二電源入力導電片２３は、スイッチ２１の第二端子２１２に固設され、入力電源を第二端子２１２へ伝導できるようにしてある。
前記第一及び第二電源出力導電片２４及び２５には、クランプ部２４１・２５１が設置され、第一及び第二電源出力導電片２４及び２５をそれぞれポイント溶接方式によってスイッチ２１の第二及び第三端子２１２及び２１３へ連結している。
前記ソケット本体２をケース体１の中に結合し、スイッチ２１の第二及び第三端子２１２及び２１３の第一及び第二電源出力導電片２４及び２５をそれぞれケース体１の上ケース体１１差込穴１１２と対応させ、前記スイッチ２１は、スイッチ収容穴１１１の外に突き出て露出している。
【０００９】
電源プラグが上ケース体１１の差込穴１１２を経由して第一及び第二電源出力導電片２４及び２５の中へ差し込まれると、前記入力電源は第一及び第二電源入力導電片２２及び２３を経由して、スイッチ２１の第一及び第二端子２１１及び２１２へ伝導される。
前記スイッチ２１が導通状態にある時は、前記電源が第一端子２１１を経由して第三端子２１３へ伝導されることによって、電源をスイッチ２１の第一及び第二電源出力導電片２４及び２５へ輸送し、電源パイロット・ランプ２１４にパイロット光源を生じさせる。
一方、前記第一及び第二電源出力導電片２４及び２５の電源は同時に電源差込から電気製品へ伝導され、電気製品を正常に作動させる。
【００１０】
なお、前記ソケット本体２には、同時に数個のスイッチ２１を含み、前記ソケット本体２を延長線ソケットとして形成することも出来る。
更に、図５に示すように、前記ソケット本体２は、予め組立て連結を完成しておき、ケース体１の差し込み穴１１１間の距離に注意するだけで、各種形状のケース体１に応用することも出来る。  
【００１１】
上記詳細な説明は、本考案の実施可能な実施例の具体的説明であり、但し前記実施例は本考案の特許請求範囲を制限するものではなく、凡そ本考案の技芸精神を逸脱せずになされる等価実施又は変更は、全て本考案の特許請求範囲に含まれるものとする。
以上を総合すると、本考案は、空間形態上確かに創造的であるのみならず、従来物品に比べ、上述多項目にわたる効能を増進でき、新規性及び進歩性の法定実用新案登録請求の要件に十分合致するものとして、茲に法に依って請求する次第である。
【図面の簡単な説明】
【００１２】
【図１Ａ】従来のソケット略図である。
【図１Ｂ】従来のソケット略図である。
【図１Ｃ】従来のソケット略図である。
【図２Ａ】本考案に係るソケットの改良構造のソケット本体結合略図である。
【図２Ｂ】本考案に係るソケットの改良構造のソケット本体結合略図である。
【図２Ｃ】本考案に係るソケットの改良構造のソケット本体結合略図である。
【図３】本考案に係るソケットの改良構造の組立て略図である。
【図４】本考案に係るソケットの改良構造の接続線略図である。
【図５】本考案に係るソケットの改良構造の別の実施略図である。
【符号の説明】
【００１３】
１      ケース体
１１      上ケース体
１１１      スイッチ収容穴
１１２      差込穴
１２      下ケース体
２      ソケット本体
２１      スイッチ
２１１      第一端子
２１２      第二端子
２１３      第三端子
２１４      電源パイロット・ランプ
２２      第一電源入力導電片
２３      第二電源入力導電片
２４      第一電源出力導電片
２４１      クランプ部
２５      第二電源出力導電片
２５１      クランプ部
３      ケース体
３１      上ケース体
３１１      差込穴
３１２      スイッチ収容穴
３２      下ケース体
４      ソケット本体
４１      切り替えスイッチ
４１１      第一接続端子
４１２      第二接続端子
４１３      第三接続端子
４１４      電源パイロット・ランプ
４２      ランプ回路導電片
４３      第一電源入力導電片
４３１      連結片
４４      第二電源入力導電片
４５      第一電源出力導電片
４６      第二電源出力導電片
【図１Ａ】
0003122005.tif 000003
【図１Ｂ】
0003122005.tif 000004
【図１Ｃ】
0003122005.tif 000005
【図２Ａ】
0003122005.tif 000006
【図２Ｂ】
0003122005.tif 000007
【図２Ｃ】
0003122005.tif 000008
【図３】
0003122005.tif 000009
【図４】
0003122005.tif 000010
【図５】
0003122005.tif 000011